(57)【要約】【課題】便蓋および便座の開け閉めをユーザが手で行わずに全自動で制御することにより、洋式便器を簡便に使用する全自動便器電気制御システムを提供する。【解決手段】全自動便器電気制御システムは、便座１と、便座１上を覆う便蓋２と、第１の検出ユニット３１、第１の起動ユニット３２、第２の検出ユニット３３および第２の起動ユニット３４を有する制御システム３とを備える。第１の検出ユニット３１は、便蓋２の開閉を駆動させる第１のモータ３２１を有する第１の起動ユニット３２と接続される。第２の検出ユニット３３は、互いに接続された第１の起動ユニット３２と第２の起動ユニット３４とそれぞれ接続される。第２の起動ユニット３４は、便座１の開閉を駆動させる第２のモータ３４１を有する。【選択図】図１
0003153196.tif 000002
【実用新案登録請求の範囲】
【請求項１】
便座と、
前記便座上を覆う便蓋と、
第１の検出ユニット、第１の起動ユニット、第２の検出ユニットおよび第２の起動ユニットを有する制御システムと、を備え、
前記第１の検出ユニットは、前記便蓋の開閉を駆動させる第１のモータを有する前記第１の起動ユニットと接続され、
前記第２の検出ユニットは、互いに接続された前記第１の起動ユニットと前記第２の起動ユニットとそれぞれ接続され、
前記第２の起動ユニットは、前記便座の開閉を駆動させる第２のモータを有することを特徴とする全自動便器電気制御システム。
【請求項２】
前記制御システムの前記第１の検出ユニットは、第１のセンサ、第１の近接センサおよび第１のリレー装置を有することを特徴とする請求項１に記載の全自動便器電気制御システム。
【請求項３】
前記制御システムの前記第１の起動ユニットは、第１のリミットスイッチ、第２のリミットスイッチおよび第５のリレー装置を有することを特徴とする請求項１に記載の全自動便器電気制御システム。
【請求項４】
前記制御システムの前記第２の検出ユニットは、第２のセンサ、第２の近接センサ、第２のリレー装置および第３のリレー装置を有することを特徴とする請求項１に記載の全自動便器電気制御システム。
【請求項５】
前記制御システムの前記第２の起動ユニットは、第３のリミットスイッチ、第４のリミットスイッチおよび第４のリレー装置を有することを特徴とする請求項１に記載の全自動便器電気制御システム。
【考案の詳細な説明】
【技術分野】
【０００１】
本考案は、全自動便器電気制御システムに関し、特に、ユーザの動作状態を感知し、便蓋および便座の開け閉めを全自動で制御する全自動便器電気制御システムに関する。
【背景技術】
【０００２】
洋式トイレに接続された手で開け閉めを行う従来の便器には、互いに枢着された便座および便蓋が含まれ、通常、便器は便座および便蓋で覆われた状態にある。女性が洋式トイレを使用する際、一般に素手で便蓋を開けてから便座上へ座り、大便または小便を排泄していた。男性が小便をするときは、便座の表面を清潔に維持するため、尿が便座の表面にかからないように便座を素手で上げる必要があった。しかし、面倒くさがって便座を上げずに使用する男性もおり、その場合、便座の表面および上げた便蓋の内面に尿が付着してしまう虞があった。さらに、便座を上げても、はねた尿が便座の穴を通って便蓋の内面に付着し、後で使用するユーザが便座に座って洋式トイレを使用するときに、まず、便座の表面と便蓋の内面に付着した尿を洗浄しなければならず、ユーザが不快な思いをする虞があった。
【考案の概要】
【考案が解決しようとする課題】
【０００３】
そのため、ユーザが便蓋および便座を素手で上げずに洋式トイレを簡便に使用し、便座の表面を清潔に維持することができる便蓋および便座の開け閉めを全自動で制御する全自動便器電気制御システムが求められていた。
【０００４】
本考案の目的は、ユーザがトイレに入って手を振る動作を制御システムが自動的に検知し、便蓋および便座の開け閉めをユーザが手で行わずに全自動で制御することができるため、洋式便器を簡便に使用することができる全自動便器電気制御システムを提供することにある。
【課題を解決するための手段】
【０００５】
上記課題を解決するために、本考案の第１の形態によれば、便座と、前記便座上を覆う便蓋と、第１の検出ユニット、第１の起動ユニット、第２の検出ユニットおよび第２の起動ユニットを有する制御システムと、を備え、前記第１の検出ユニットは、前記便蓋の開閉を駆動させる第１のモータを有する前記第１の起動ユニットと接続され、前記第２の検出ユニットは、互いに接続された前記第１の起動ユニットと前記第２の起動ユニットとそれぞれ接続され、前記第２の起動ユニットは、前記便座の開閉を駆動させる第２のモータを有することを特徴とする全自動便器電気制御システムが提供される。
【０００６】
また、前記制御システムの前記第１の検出ユニットは、第１のセンサ、第１の近接センサおよび第１のリレー装置を有することが好ましい。
【０００７】
また、前記制御システムの前記第１の起動ユニットは、第１のリミットスイッチ、第２のリミットスイッチおよび第５のリレー装置を有することが好ましい。
【０００８】
また、前記制御システムの前記第２の検出ユニットは、第２のセンサ、第２の近接センサ、第２のリレー装置および第３のリレー装置を有することが好ましい。
【０００９】
また、前記制御システムの前記第２の起動ユニットは、第３のリミットスイッチ、第４のリミットスイッチおよび第４のリレー装置を有することが好ましい。
【考案の効果】
【００１０】
本考案の全自動便器電気制御システムは、ユーザがトイレに入って手を振る動作を制御システムにより自動的に検知し、便蓋および便座の開け閉めをユーザが手で行わずに全自動で制御することにより、洋式便器を簡便に使用することができる。
【図面の簡単な説明】
【００１１】
【図１】本考案の一実施形態による全自動便器電気制御システムを示すシステム図である。
【図２】本考案の一実施形態による全自動便器電気制御システムを示す回路図である。
【図３】本考案の一実施形態による全自動便器電気制御システムの動作を示す斜視図である。
【図４】本考案の一実施形態による全自動便器電気制御システムの動作を示す斜視図である。
【図５】本考案の一実施形態による全自動便器電気制御システムの動作を示す斜視図である。
【図６】本考案の一実施形態による全自動便器電気制御システムの動作を示す斜視図である。
【図７】本考案の一実施形態による全自動便器電気制御システムの動作を示す断面図である。
【考案を実施するための形態】
【００１２】
以下、本考案の実施形態について図に基づいて説明する。なお、これによって本考案が限定されるものではない。
【００１３】
図１および図３を参照する。図１および図３に示すように、本考案の一実施形態による全自動便器電気制御システムは、便座１と、便座１上を覆う便蓋２と、制御システム３と、を含む。制御システム３は、第１の検出ユニット３１、第１の起動ユニット３２、第２の検出ユニット３３および第２の起動ユニット３４を含む。第１の検出ユニット３１は、第１の起動ユニット３２と電気的に接続される。第１の起動ユニット３２は、便蓋２を駆動させて開け閉めを行う第１のモータ３２１（Ｍ１−ＭＯＴＯＲ）を有する。第２の検出ユニット３３は、第１の起動ユニット３２および第２の起動ユニット３４とそれぞれ電気的に接続されている。第２の起動ユニット３４は、第１の起動ユニット３２と電気的に接続され、便座１を駆動させて開け閉めを行う第２のモータ３４１（Ｍ２−ＭＯＴＯＲ）を有する。
【００１４】
図１を再び参照する。図１に示すように、制御システム３の第１の検出ユニット３１は、第１のセンサ３１１（ＳＥＮＳＯＲ−Ｓ１）、第１の近接センサ３１２（Ｓ１）および第１のリレー装置３１３（ＲＥＬＡＹ−Ｒ１）を含む。第１の起動ユニット３２は、第１のリミットスイッチ３２２（ＳＷＩＴＣＨ−１）、第２のリミットスイッチ３２３（ＳＷＩＴＣＨ−２）および第５のリレー装置３２４（ＲＥＬＡＹ−Ｒ５）を含む。制御システム３の第２の検出ユニット３３は、第２のセンサ３３１（ＳＥＮＳＯＲ−Ｓ２）、第２の近接センサ３３２（Ｓ２）、第２のリレー装置３３３（ＲＥＬＡＹ−Ｒ２）および第３のリレー装置３３４（ＲＥＬＡＹ−Ｒ３）を含む。第２の起動ユニット３４は、第３のリミットスイッチ３４２（ＳＷＩＴＣＨ−３）、第４のリミットスイッチ３４３（ＳＷＩＴＣＨ−４）および第４のリレー装置３４４（ＲＥＬＡＹ−Ｒ４）を含む。
【００１５】
図２は、本考案の一実施形態による全自動便器電気制御システムを示す回路図である。第１の制御方式は、便器から９０ｃｍ以内にユーザが近づくと、第１のセンサ３１１（ＳＥＮＳＯＲ−Ｓ１）および第１の近接センサ３１２（Ｓ１）接点が、Ｔ２ｂ接点とオンされ、第１のリレー装置３１３（ＲＥＬＡＹ−Ｒ１）接点とオンする。第１のリレー装置３１３（ＲＥＬＡＹ−Ｒ１）は自己保持である。Ｒ１ａ接点は、Ｒ２ｂ接点とオンされ、第１のリミットスイッチ３２２（ＳＷＩＴＣＨ−１）とオンされる。第１のリミットスイッチ３２２（ＳＷＩＴＣＨ−１）のノーマルクローズ接点（ＮＣ接点）は、第１のモータ３２１（Ｍ１−ＭＯＴＯＲ）とオンされ、第１のモータ３２１（Ｍ１−ＭＯＴＯＲ）を上向きの正転を開始し、便蓋２を駆動させて図４および図５の実線矢印の方向で上昇させ、上向きの正転が第１のリミットスイッチ３２２（ＳＷＩＴＣＨ−１）に接触すると、第１のリミットスイッチ３２２（ＳＷＩＴＣＨ−１）のノーマルクローズ接点が開放され、第１のモータ３２１（Ｍ１−ＭＯＴＯＲ）の動作が停止する。このように、第１の制御方式は、便蓋２を単独で開けることができる。
【００１６】
第２の制御方式では、第２のセンサ３３１（ＳＥＮＳＯＲ−Ｓ２）にユーザの手を近づけると、第２の近接センサ３３２（Ｓ２）接点がＴ１ｂ接点とオンされ、Ｒ１ａの接点がＲ４ｂ接点とオンされ、第２のリレー装置３３３（ＲＥＬＡＹ−Ｒ２）とオンされる。第２のリレー装置３３３（ＲＥＬＡＹ−Ｒ２）が自己保持されてオンされ（Ｔ１  ＴＩＭＥ）、（Ｔ１  ＴＩＭＥ）で計時を開始すると、Ｒ１ａ接点がＲ２ａ接点とオンされ、第２のリミットスイッチ３２３（ＳＷＩＴＣＨ−２）のノーマルクローズ接点とオンされ、Ｒ５ｂ接点を介して第１のモータ３２１（Ｍ１−ＭＯＴＯＲ）とオンされ、第１のモータ３２１（Ｍ１−ＭＯＴＯＲ）を下方へ反転させ、便蓋２を駆動させて図４および図５の点線矢印の方向で下降させ、下方へ反転させて第２のリミットスイッチ３２３（ＳＷＩＴＣＨ−２）に接触すると、第２のリミットスイッチ３２３（ＳＷＩＴＣＨ−２）のノーマルクローズ接点が開放され、第１のモータ３２１（Ｍ１−ＭＯＴＯＲ）の動作が停止し、便蓋２が下降して図３に示す状態となる。
【００１７】
さらに、第２のリミットスイッチ３２３（ＳＷＩＴＣＨ−２）のノーマルオープン接点がオンされ、Ｒ３ｂ接点とオンされ、第５のリレー装置３２４（ＲＥＬＡＹ−Ｒ５）がオンされ、第５のリレー装置３２４（ＲＥＬＡＹ−Ｒ５）を自己保持し、第５のリレー装置３２４（ＲＥＬＡＹ−Ｒ５）の２つのａ接点によりルートが２つに分けられる。一方のルートは、Ｒ１ａ接点がＲ５ａ接点とオンされ、第１のリミットスイッチ３２２（ＳＷＩＴＣＨ−１）のノーマルクローズ接点とオンされ、第１のモータ３２１（Ｍ１−ＭＯＴＯＲ）の上向き正転を開始し、便蓋２を駆動させて上昇させる。第１のモータ３２１（Ｍ１−ＭＯＴＯＲ）が上向きで正転され、第１のリミットスイッチ３２２（ＳＷＩＴＣＨ−１）に接触すると、ノーマルクローズ接点が開放され、第１のモータ３２１（Ｍ１−ＭＯＴＯＲ）の動作が停止して便蓋２を上昇させる。他方のルートは、Ｒ１ａ接点がＲ５ａ接点とオンされ、第３のリミットスイッチ３４２（ＳＷＩＴＣＨ−３）のノーマルクローズ接点を介して第２のモータ３４１（Ｍ２−ＭＯＴＯＲ）がオンされ、第２のモータ３４１（Ｍ２−ＭＯＴＯＲ）の上向き正転を開始させることにより、便座１を駆動させて同時に上昇させ、第２のモータ３４１（Ｍ２−ＭＯＴＯＲ）が上向きで正転して第３のリミットスイッチ３４２（ＳＷＩＴＣＨ−３）に接触されると、ノーマルクローズ接点が開放され、第２のモータ３４１（Ｍ２−ＭＯＴＯＲ）の動作が停止して第２の制御方式を実行する。これにより、便蓋２および便座１が図６および図７の実線矢印の方向で同時に開き、洋式トイレを利用する男性が小便をすることができる。
【００１８】
第３の制御方式によると、ユーザの手が第２のセンサ３３１（ＳＥＮＳＯＲ−Ｓ２）に再び近づき、３秒間（Ｔ１  ＴＩＭＥ）経つとノーマルクローズ接点が開放されてノーマルオープン接点がオンされ、Ｔ１ａ接点により第３のリレー装置３３４（ＲＥＬＡＹ−Ｒ３）がオンされ、第３のリレー装置３３４（ＲＥＬＡＹ−Ｒ３）の自己保持を解除する。Ｒ３ノーマルクローズ接点の開放により、第５のリレー装置３２４（ＲＥＬＡＹ−Ｒ５）の自己保持が解除されるため、Ｒ５が導通されずに２つのルートに分かれる。一方のルートは、Ｒ１ａ接点がＲ２ａ接点とオンされ、第２のリミットスイッチ３２３（ＳＷＩＴＣＨ−２）のノーマルクローズ接点が、Ｒ５ノーマルクローズ接点とオンされ、第１のモータ３２１（Ｍ１−ＭＯＴＯＲ）とオンされ、第１のモータ３２１（Ｍ１−ＭＯＴＯＲ）の下向きの反転を開始するとともに、便蓋２を駆動させて下降させ、下向きに反転させて第２のリミットスイッチ３２３（ＳＷＩＴＣＨ−２）に接触されると、ノーマルクローズ接点を開放し、第１のモータ３２１（Ｍ１−ＭＯＴＯＲ）の動作が停止して便蓋２が下がる。同時に、第２のリミットスイッチ３２３（ＳＷＩＴＣＨ−２）のノーマルオープン接点がオンされ、５Ｒｂ接点がＲ３ａ接点とオンされ、第４のリレー装置３４４（ＲＥＬＡＹ−Ｒ４）とオンされる。他方のルートは、Ｒ１ａ接点がＲ５ｂ接点とオンされ、第４のリミットスイッチ３４３（ＳＷＩＴＣＨ−４）のノーマルクローズ接点が第２のモータ３４１（Ｍ２−ＭＯＴＯＲ）とオンされると、第２のモータ３４１（Ｍ２−ＭＯＴＯＲ）の下向きの反転を回転させることにより、便座１を駆動させて同時に下降させ、下向きの反転で第４のリミットスイッチ３４３（ＳＷＩＴＣＨ−４）のノーマルクローズ接点に接触させて開放すると、第２のモータ３４１（Ｍ２−ＭＯＴＯＲ）の動作が停止する。このように、図６および図７の点線矢印に示す方向で、便蓋２および便座１を同時に下降させる。
【００１９】
さらに、第２のリミットスイッチ３２３（ＳＷＩＴＣＨ−２）のノーマルオープン接点がオンされ、Ｒ５ｂ接点がＲ３ａ接点とオンされ、第４のリレー装置３４４（ＲＥＬＡＹ−Ｒ４）とオンされ、Ｒ４ｂ接点を開放するため、第２のリレー装置３３３（ＲＥＬＡＹ−Ｒ２）の自己保持を解除し、第２のリレー装置３３３（ＲＥＬＡＹ−Ｒ２）により電気が供給されなくなり、制御システム全体が第１の制御方式へ戻る。
【００２０】
第４の制御方式は、ユーザが便器から離れると、第１のセンサ３１１（ＳＥＮＳＯＲ−Ｓ１）および第１の近接センサ３１２（Ｓ１）接点が開放され、第１のリレー装置３１３（ＲＥＬＡＹ−Ｒ１）が１０秒間（Ｔ２  ＴＩＭＥ）経つとノーマルクローズ接点を開放し、電源が供給されなくなる。第１のセンサ３１１（ＳＥＮＳＯＲ−Ｓ１）および第１の近接センサ３１２（Ｓ１）接点が１０秒間（Ｔ２  ＴＩＭＥ）オンされた後、（Ｔ２  ＴＩＭＥ）でａ接点がオンされ、２つのルートに別れる。一方のルートは、Ｔ２ａ接点が第２のリミットスイッチ３２３（ＳＷＩＴＣＨ−２）のノーマルクローズ接点とオンし、Ｒ５ｂ接点が第１のモータ３２１（Ｍ１−ＭＯＴＯＲ）とオンし、第１のモータ３２１（Ｍ１−ＭＯＴＯＲ）の下向きの反転を開始させるとともに、便蓋２を駆動させて下降させる。下向きに反転させて第２のリミットスイッチ３２３（ＳＷＩＴＣＨ−２）のノーマルクローズ接点を開放すると、第１のモータ３２１（Ｍ１−ＭＯＴＯＲ）の回転が停止し、便蓋２を下降させる。他方のルートは、Ｔ２ａ接点がＲ５ｂ接点とオンされ、第４のリミットスイッチ３４３（ＳＷＩＴＣＨ−４）のノーマルクローズ接点が第２のモータ３４１（Ｍ２−ＭＯＴＯＲ）とオンされ、第２のモータ３４１（Ｍ２−ＭＯＴＯＲ）を同時に下向きへ反転させることにより、便座１を駆動させて同時に下降させ、下向きに反転が第４のリミットスイッチ３４３（ＳＷＩＴＣＨ−４）に接触してノーマルクローズ接点が開放すると、第２のモータ３４１（Ｍ２−ＭＯＴＯＲ）の回転を停止させることにより、便蓋２および便座１を同時に下降させ（図３に示す）、洋式便器上を覆う。
【００２１】
本考案の全自動便器電気制御システムは、便座、便蓋および制御システムを含み、トイレに入ったユーザの手を振る動作を制御システムが自動的に検知し、便座および便蓋の開け閉めをユーザが手で行わずに全自動制御で行うため、洋式便器を簡便に使用することができる。
【００２２】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２３】
１  便座
２  便蓋
３  制御システム
３１  第１の検出ユニット
３２  第１の起動ユニット
３３  第２の検出ユニット
３４  第２の起動ユニット
３１１  第１のセンサ
３１２  第１の近接センサ
３１３  第１のリレー装置
３２１  第１のモータ
３２２  第１のリミットスイッチ
３２３  第２のリミットスイッチ
３２４  第５のリレー装置
３３１  第２のセンサ
３３２  第２の近接センサ
３３３  第２のリレー装置
３３４  第３のリレー装置
３４１  第２のモータ
３４２  第３のリミットスイッチ
３４３  第４のリミットスイッチ
３４４  第４のリレー装置
【図１】
0003153196.tif 000003
【図２】
0003153196.tif 000004
【図３】
0003153196.tif 000005
【図４】
0003153196.tif 000006
【図５】
0003153196.tif 000007
【図６】
0003153196.tif 000008
【図７】
0003153196.tif 000009